(57)【要約】【課題】Ｄ２Ｄ通信を開始してから終了するまでの間においても、セルラ通信を行うことを可能とする。【解決手段】ＵＥは、Ｄ２Ｄ通信を行う場合に、複数のサブフレームの一部をセルラ通信用期間として確保しつつ、セルラ通信用期間以外のサブフレームをＤ２Ｄ通信用期間として使用する。ＵＥは、Ｄ２Ｄ通信用期間及びセルラ通信用期間を使用することにより、Ｄ２Ｄ通信を開始してから終了するまでの間においてセルラ通信を行う。【選択図】図７
2015019178.tif 000002
【特許請求の範囲】
【請求項１】
ネットワークを介して通信を行うセルラ通信と、前記ネットワークを介さずに端末間通信を行うＤ２Ｄ通信と、をサポートする移動通信システムにおいて用いられるユーザ端末であって、
前記移動通信システムの無線リソースを使用して前記Ｄ２Ｄ通信を行う制御部を備え、
前記無線リソースは、時間方向に分割された複数の通信期間を含み、
前記制御部は、前記Ｄ２Ｄ通信を行う場合に、前記複数の通信期間の一部をセルラ通信用期間として確保しつつ、前記セルラ通信用期間以外の通信期間をＤ２Ｄ通信用期間として使用することを特徴とするユーザ端末。
【請求項２】
前記制御部は、前記Ｄ２Ｄ通信用期間及び前記セルラ通信用期間を使用することにより、前記Ｄ２Ｄ通信を開始してから終了するまでの間において前記セルラ通信を行うことを特徴とする請求項１に記載のユーザ端末。
【請求項３】
前記制御部は、前記Ｄ２Ｄ通信を開始してから終了するまでの間において前記セルラ通信を開始する場合に、前記Ｄ２Ｄ通信用期間及び前記セルラ通信用期間の設定パターンを決定するための情報を前記ネットワークに含まれるネットワーク装置に送信することを特徴とする請求項２に記載のユーザ端末。
【請求項４】
前記設定パターンを決定するための情報は、前記Ｄ２Ｄ通信における通信状況を示す情報を含むことを特徴とする請求項３に記載のユーザ端末。
【請求項５】
前記制御部は、前記Ｄ２Ｄ通信用期間及び前記セルラ通信用期間を使用して前記Ｄ２Ｄ通信及び前記セルラ通信を行っており、かつ、前記Ｄ２Ｄ通信用期間及び前記セルラ通信用期間の設定パターンの更新が必要であると判定した場合に、前記設定パターンを更新するための情報を前記ネットワークに含まれるネットワーク装置に送信することを特徴とする請求項２に記載のユーザ端末。
【請求項６】
前記制御部は、前記Ｄ２Ｄ通信及び前記セルラ通信のそれぞれのバッファ滞留量に基づいて、前記設定パターンの更新が必要であるか否かを判定することを特徴とする請求項５に記載のユーザ端末。
【請求項７】
前記制御部は、前記Ｄ２Ｄ通信用期間及び前記セルラ通信用期間のそれぞれの実使用状況に基づいて、前記設定パターンの更新が必要であるか否かを判定することを特徴とする請求項５に記載のユーザ端末。
【請求項８】
ネットワークを介して通信を行うセルラ通信と、前記ネットワークを介さずに端末間通信を行うＤ２Ｄ通信と、をサポートする移動通信システムにおいて、前記ネットワークに含まれるネットワーク装置であって、
前記移動通信システムの無線リソースを使用して前記Ｄ２Ｄ通信を行うユーザ端末を制御する制御部を備え、
前記無線リソースは、時間方向に分割された複数の通信期間を含み、
前記制御部は、前記ユーザ端末が前記Ｄ２Ｄ通信を行う場合に、前記複数の通信期間の一部をセルラ通信用期間として確保しつつ、前記セルラ通信用期間以外の通信期間をＤ２Ｄ通信用期間として前記ユーザ端末に使用させることを特徴とするネットワーク装置。
【請求項９】
前記制御部は、前記Ｄ２Ｄ通信用期間及び前記セルラ通信用期間の設定パターンを決定するための情報を前記ユーザ端末から受信することを特徴とする請求項８に記載のネットワーク装置。
【請求項１０】
前記設定パターンを決定するための情報は、前記Ｄ２Ｄ通信における通信状況を示す情報を含むことを特徴とする請求項９に記載のネットワーク装置。
【請求項１１】
前記制御部は、前記設定パターンを更新するための情報を前記ユーザ端末から受信することを特徴とする請求項８に記載のネットワーク装置。
【請求項１２】
前記設定パターンを更新するための情報は、前記ユーザ端末における前記Ｄ２Ｄ通信及び前記セルラ通信のそれぞれのバッファ滞留量を示す情報を含むことを特徴とする請求項１１に記載のネットワーク装置。
【請求項１３】
前記設定パターンを更新するための情報は、前記ユーザ端末における前記Ｄ２Ｄ通信用期間及び前記セルラ通信用期間のそれぞれの実使用状況を示す情報を含むことを特徴とする請求項１１に記載のネットワーク装置。
【請求項１４】
ネットワークを介して通信を行うセルラ通信と、前記ネットワークを介さずに端末間通信を行うＤ２Ｄ通信と、をサポートする移動通信システムにおいて用いられるユーザ端末に備えられるプロセッサであって、
前記プロセッサは、前記移動通信システムの無線リソースを使用して前記Ｄ２Ｄ通信を行う処理を実行し、
前記無線リソースは、時間方向に分割された複数の通信期間を含み、
前記プロセッサは、前記Ｄ２Ｄ通信を行う場合に、前記複数の通信期間の一部をセルラ通信用期間として確保しつつ、前記セルラ通信用期間以外の通信期間をＤ２Ｄ通信用期間として使用することを特徴とするプロセッサ。
【発明の詳細な説明】
【技術分野】
【０００１】
本発明は、Ｄ２Ｄ通信をサポートする移動通信システムにおいて用いられるユーザ端末、ネットワーク装置、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。
【０００３】
Ｄ２Ｄ通信では、近接する複数のユーザ端末がネットワークを経由せずに直接的な端末間通信を行う。一方、移動通信システムの通常の通信であるセルラ通信では、ユーザ端末がネットワークを経由して通信を行う。
【０００４】
Ｄ２Ｄ通信は、近接するユーザ端末間で低送信電力の無線通信を行うことができるため、セルラ通信に比べて、ユーザ端末の消費電力及びネットワークの負荷を削減できる。
【先行技術文献】
【非特許文献】
【０００５】
【非特許文献１】３ＧＰＰ技術報告書  「ＴＲ  ２２．８０３  Ｖ１２．１．０」  ２０１３年３月
【発明の概要】
【発明が解決しようとする課題】
【０００６】
ところで、ユーザ端末は、セルラ通信及びＤ２Ｄ通信で１つの無線送受信機を共用することが想定される。
【０００７】
ここで、セルラ通信及びＤ２Ｄ通信で取り扱う送信電力レベルは異なるため、ユーザ端末が１つの無線送受信機でセルラ通信及びＤ２Ｄ通信を同時に行うことは困難である。
【０００８】
従って、ユーザ端末は、Ｄ２Ｄ通信を開始してから終了するまでの間において、セルラ通信を行うことができない問題がある。
【０００９】
そこで、本発明は、Ｄ２Ｄ通信を開始してから終了するまでの間においても、セルラ通信を行うことを可能とするユーザ端末、ネットワーク装置、及びプロセッサを提供することを目的とする。
【課題を解決するための手段】
【００１０】
第１の特徴に係るユーザ端末は、ネットワークを介して通信を行うセルラ通信と、前記ネットワークを介さずに端末間通信を行うＤ２Ｄ通信と、をサポートする移動通信システムにおいて用いられる。前記ユーザ端末は、前記移動通信システムの無線リソースを使用して前記Ｄ２Ｄ通信を行う制御部を備える。前記無線リソースは、時間方向に分割された複数の通信期間を含む。前記制御部は、前記Ｄ２Ｄ通信を行う場合に、前記複数の通信期間の一部をセルラ通信用期間として確保しつつ、前記セルラ通信用期間以外の通信期間をＤ２Ｄ通信用期間として使用する。
【００１１】
第２の特徴に係るネットワーク装置は、ネットワークを介して通信を行うセルラ通信と、前記ネットワークを介さずに端末間通信を行うＤ２Ｄ通信と、をサポートする移動通信システムにおいて、前記ネットワークに含まれる。前記ネットワーク装置は、前記移動通信システムの無線リソースを使用して前記Ｄ２Ｄ通信を行うユーザ端末を制御する制御部を備える。前記無線リソースは、時間方向に分割された複数の通信期間を含む。前記制御部は、前記ユーザ端末が前記Ｄ２Ｄ通信を行う場合に、前記複数の通信期間の一部をセルラ通信用期間として確保しつつ、前記セルラ通信用期間以外の通信期間をＤ２Ｄ通信用期間として前記ユーザ端末に使用させる。
【００１２】
第３の特徴に係るプロセッサは、ネットワークを介して通信を行うセルラ通信と、前記ネットワークを介さずに端末間通信を行うＤ２Ｄ通信と、をサポートする移動通信システムにおいて用いられるユーザ端末に備えられる。前記プロセッサは、前記移動通信システムの無線リソースを使用して前記Ｄ２Ｄ通信を行う処理を実行する。前記無線リソースは、時間方向に分割された複数の通信期間を含む。前記プロセッサは、前記Ｄ２Ｄ通信を行う場合に、前記複数の通信期間の一部をセルラ通信用期間として確保しつつ、前記セルラ通信用期間以外の通信期間をＤ２Ｄ通信用期間として使用する。
【発明の効果】
【００１３】
本発明によれば、Ｄ２Ｄ通信を開始してから終了するまでの間においても、セルラ通信を行うことを可能とするユーザ端末、ネットワーク装置、及びプロセッサを提供できる。
【図面の簡単な説明】
【００１４】
【図１】第１実施形態及び第２実施形態に係るＬＴＥシステムの構成図である。
【図２】第１実施形態及び第２実施形態に係るＵＥのブロック図である。
【図３】第１実施形態及び第２実施形態に係るｅＮＢのブロック図である。
【図４】第１実施形態及び第２実施形態に係る無線インターフェイスのプロトコルスタック図である。
【図５】第１実施形態及び第２実施形態に係る無線フレームの構成図である。
【図６】第１実施形態及び第２実施形態に係るＤ２Ｄ通信を説明するための図である。
【図７】Ｄ２Ｄ通信のみを行うＵＥに対して設定されるＤ２Ｄ通信用期間及びセルラ通信用期間を説明するための図である。
【図８】Ｄ２Ｄ通信中にセルラ通信を開始したＵＥに対して設定されるＤ２Ｄ通信用期間及びセルラ通信用期間を説明するための図である。
【図９】第１実施形態及び第２実施形態に係る動作環境を説明するための図である。
【図１０】第１実施形態に係る動作パターン１のシーケンス図である。
【図１１】Ｄ２Ｄ通信中にセルラ通信が開始された後におけるｅＮＢのスケジューリング動作を示すフロー図である。
【図１２】第１実施形態に係る動作パターン２のシーケンス図である。
【図１３】通信要求を受信したｅＮＢの動作を示すフロー図である。
【図１４】第１実施形態に係る動作パターン３のシーケンス図である。
【図１５】第１実施形態に係る動作パターン４のシーケンス図である。
【図１６】第１実施形態に係る動作パターン５のシーケンス図である。
【図１７】第２実施形態に係る、設定パターンの更新が必要であるか否かの判定の具体例１を示す図である。
【図１８】第２実施形態に係る、設定パターンの更新が必要であるか否かの判定の具体例２を示す図である。
【図１９】第２実施形態に係る動作シーケンス図である。
【発明を実施するための形態】
【００１５】
［実施形態の概要］
第１実施形態及び第２実施形態に係るユーザ端末は、ネットワークを介して通信を行うセルラ通信と、前記ネットワークを介さずに端末間通信を行うＤ２Ｄ通信と、をサポートする移動通信システムにおいて用いられる。前記ユーザ端末は、前記移動通信システムの無線リソースを使用して前記Ｄ２Ｄ通信を行う制御部を備える。前記無線リソースは、時間方向に分割された複数の通信期間を含む。前記制御部は、前記Ｄ２Ｄ通信を行う場合に、前記複数の通信期間の一部をセルラ通信用期間として確保しつつ、前記セルラ通信用期間以外の通信期間をＤ２Ｄ通信用期間として使用する。
【００１６】
第１実施形態及び第２実施形態では、前記制御部は、前記Ｄ２Ｄ通信用期間及び前記セルラ通信用期間を使用することにより、前記Ｄ２Ｄ通信を開始してから終了するまでの間において前記セルラ通信を行う。
【００１７】
第１実施形態では、前記制御部は、前記Ｄ２Ｄ通信を開始してから終了するまでの間において前記セルラ通信を開始する場合に、前記Ｄ２Ｄ通信用期間及び前記セルラ通信用期間の設定パターンを決定するための情報を前記ネットワークに含まれるネットワーク装置に送信する。
【００１８】
第１実施形態では、前記設定パターンを決定するための情報は、前記Ｄ２Ｄ通信における通信状況を示す情報を含む。
【００１９】
第２実施形態では、前記制御部は、前記Ｄ２Ｄ通信用期間及び前記セルラ通信用期間を使用して前記Ｄ２Ｄ通信及び前記セルラ通信を行っており、かつ、前記Ｄ２Ｄ通信用期間及び前記セルラ通信用期間の設定パターンの更新が必要であると判定した場合に、前記設定パターンを更新するための情報を前記ネットワークに含まれるネットワーク装置に送信する。
【００２０】
第２実施形態では、前記制御部は、前記Ｄ２Ｄ通信及び前記セルラ通信のそれぞれのバッファ滞留量に基づいて、前記設定パターンの更新が必要であるか否かを判定する。
【００２１】
第２実施形態では、前記制御部は、前記Ｄ２Ｄ通信用期間及び前記セルラ通信用期間のそれぞれの実使用状況に基づいて、前記設定パターンの更新が必要であるか否かを判定する。
【００２２】
第１実施形態及び第２実施形態に係るネットワーク装置は、ネットワークを介して通信を行うセルラ通信と、前記ネットワークを介さずに端末間通信を行うＤ２Ｄ通信と、をサポートする移動通信システムにおいて、前記ネットワークに含まれる。前記ネットワーク装置は、前記移動通信システムの無線リソースを使用して前記Ｄ２Ｄ通信を行うユーザ端末を制御する制御部を備える。前記無線リソースは、時間方向に分割された複数の通信期間を含む。前記制御部は、前記ユーザ端末が前記Ｄ２Ｄ通信を行う場合に、前記複数の通信期間の一部をセルラ通信用期間として確保しつつ、前記セルラ通信用期間以外の通信期間をＤ２Ｄ通信用期間として前記ユーザ端末に使用させる。
【００２３】
第１実施形態では、前記制御部は、前記Ｄ２Ｄ通信用期間及び前記セルラ通信用期間の設定パターンを決定するための情報を前記ユーザ端末から受信する。
【００２４】
第１実施形態では、前記設定パターンを決定するための情報は、前記Ｄ２Ｄ通信における通信状況を示す情報を含む。
【００２５】
第２実施形態では、前記制御部は、前記設定パターンを更新するための情報を前記ユーザ端末から受信する。
【００２６】
第２実施形態では、前記設定パターンを更新するための情報は、前記ユーザ端末における前記Ｄ２Ｄ通信及び前記セルラ通信のそれぞれのバッファ滞留量を示す情報を含む。
【００２７】
第２実施形態では、前記設定パターンを更新するための情報は、前記ユーザ端末における前記Ｄ２Ｄ通信用期間及び前記セルラ通信用期間のそれぞれの実使用状況を示す情報を含む。
【００２８】
第１実施形態及び第２実施形態に係るプロセッサは、ネットワークを介して通信を行うセルラ通信と、前記ネットワークを介さずに端末間通信を行うＤ２Ｄ通信と、をサポートする移動通信システムにおいて用いられるユーザ端末に備えられる。前記プロセッサは、前記移動通信システムの無線リソースを使用して前記Ｄ２Ｄ通信を行う処理を実行する。前記無線リソースは、時間方向に分割された複数の通信期間を含む。前記プロセッサは、前記Ｄ２Ｄ通信を行う場合に、前記複数の通信期間の一部をセルラ通信用期間として確保しつつ、前記セルラ通信用期間以外の通信期間をＤ２Ｄ通信用期間として使用する。
【００２９】
［第１実施形態］
以下において、本発明をＬＴＥシステムに適用する場合の実施形態を説明する。
【００３０】
（システム構成）
図１は、第１実施形態に係るＬＴＥシステムの構成図である。図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３１】
ＵＥ１００は、ユーザ端末に相当する。ＵＥ１００は、移動型の通信装置であり、接続先のセル（サービングセル）との無線通信を行う。ＵＥ１００の構成については後述する。
【００３２】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３３】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３４】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３５】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３６】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００３７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３８】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３９】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。
【００４０】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００４１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４２】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４３】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４４】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４５】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００４６】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４７】
ＰＤＣＰ層は、ヘッダ圧縮・伸張、及び暗号化・復号化を行う。
【００４８】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４９】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５０】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５１】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００５２】
ＵＥ１００に割り当てられる無線リソースのうち、周波数リソースはリソースブロックにより構成され、時間リソースはサブフレーム（又はスロット）により構成される。
【００５３】
ＤＬにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。
【００５４】
ＵＬにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００５５】
（Ｄ２Ｄ通信）
第１実施形態に係るＬＴＥシステムは、直接的な端末間通信（ＵＥ間通信）であるＤ２Ｄ通信をサポートする。ここでは、Ｄ２Ｄ通信を、ＬＴＥシステムの通常の通信であるセルラ通信と比較して説明する。セルラ通信は、データパスがネットワーク（Ｅ−ＵＴＲＡＮ１０、ＥＰＣ２０）を経由する通信モードである。データパスとは、ユーザデータの通信経路である。これに対し、Ｄ２Ｄ通信は、ＵＥ間に設定されるデータパスがネットワークを経由しない通信モードである。
【００５６】
図６は、Ｄ２Ｄ通信を説明するための図である。図６に示すように、Ｄ２Ｄ通信は、データパスがｅＮＢ２００を経由しない。相互に近接するＵＥ１００−１及びＵＥ１００−２は、ｅＮＢ２００のセルにおいて、低送信電力で直接的に無線通信を行う。このように、近接するＵＥ１００−１及びＵＥ１００−２が低送信電力で直接的に無線通信を行うことにより、セルラ通信と比べて、ＵＥ１００の消費電力を削減し、かつ、隣接セルへの干渉を低減できる。
【００５７】
但し、ＵＥ１００は、セルラ通信及びＤ２Ｄ通信で１つの無線送受信機１１０を共用することが想定される。ここで、セルラ通信及びＤ２Ｄ通信で取り扱う送信電力レベルは異なるため、ＵＥ１００が１つの無線送受信機１１０でセルラ通信及びＤ２Ｄ通信を同時に行うことは困難である。
【００５８】
（第１実施形態に係る動作）
次に、第１実施形態に係る動作について説明する。
【００５９】
（１）動作概要
第１実施形態に係るＵＥ１００は、移動通信システム（ＬＴＥシステム）の無線リソースを使用してＤ２Ｄ通信を行う。無線リソースは、時間方向に分割された複数の通信期間を含む。「通信期間」とは、ＬＴＥシステムにおいては、無線フレーム、サブフレーム、又はスロットであるが、以下の説明においてはサブフレームを例示する。ＵＥ１００は、Ｄ２Ｄ通信を行う場合に、複数のサブフレームの一部をセルラ通信用期間として確保しつつ、セルラ通信用期間以外のサブフレームをＤ２Ｄ通信用期間として使用する。また、ｅＮＢ２００は、ＵＥ１００がＤ２Ｄ通信を行う場合に、複数のサブフレームの一部をセルラ通信用期間として確保しつつ、セルラ通信用期間以外のサブフレームをＤ２Ｄ通信用期間としてＵＥ１００に使用させる。そして、ＵＥ１００は、Ｄ２Ｄ通信用期間及びセルラ通信用期間を使用することにより、Ｄ２Ｄ通信を開始してから終了するまでの間においてセルラ通信を行う。
【００６０】
従って、第１実施形態によれば、セルラ通信及びＤ２Ｄ通信で１つの無線送受信機１１０を共用するＵＥ１００であっても、Ｄ２Ｄ通信を開始してから終了するまでの間においてセルラ通信を行うことができる。特に、セルラ通信用期間として確保した一部のサブフレームをセルラ通信の着信又は発信用に使用できるため、Ｄ２Ｄ通信中にセルラ通信の着信又は発信が可能となる。
【００６１】
図７は、Ｄ２Ｄ通信のみを行うＵＥ１００に対して設定されるＤ２Ｄ通信用期間及びセルラ通信用期間を説明するための図である。図７に示すように、ＵＥ１００は、Ｄ２Ｄ通信を行っている場合であっても、複数のサブフレームの一部をセルラ通信用期間として確保する。例えば、１００サブフレーム中、２サブフレームをセルラ通信用期間として確保する。セルラ通信用期間に対応するサブフレームは、セルラ通信の着信又は発信用に使用される。Ｄ２Ｄ通信用期間に対応するサブフレームは、Ｄ２Ｄ通信におけるユーザデータ及び制御信号の伝送用に使用される。
【００６２】
図８は、Ｄ２Ｄ通信中にセルラ通信を開始したＵＥ１００に対して設定されるＤ２Ｄ通信用期間及びセルラ通信用期間を説明するための図である。図８に示すように、Ｄ２Ｄ通信のみを行う場合（図７参照）に比べて、多くのセルラ通信用期間が設定されている。図８の例では、Ｄ２Ｄ通信用期間及びセルラ通信用期間が交互に設けられる。セルラ通信用期間に対応するサブフレームは、セルラ通信におけるユーザデータ及び制御信号の伝送用に使用される。Ｄ２Ｄ通信用期間に対応するサブフレームは、Ｄ２Ｄ通信におけるユーザデータ及び制御信号の伝送用に使用される。
【００６３】
ＵＥ１００は、Ｄ２Ｄ通信を開始してから終了するまでの間においてセルラ通信を開始する場合に、Ｄ２Ｄ通信用期間及びセルラ通信用期間の設定パターンを決定するための情報をｅＮＢ２００に送信してもよい。この場合、ｅＮＢ２００は、Ｄ２Ｄ通信用期間及びセルラ通信用期間の設定パターンを決定するための情報をＵＥ１００から受信する。設定パターンとは、Ｄ２Ｄ通信用期間及びセルラ通信用期間の割合（バランス）及び配置順序である。設定パターンを決定するための情報は、Ｄ２Ｄ通信における通信状況を示す情報（以下、「Ｄ２Ｄ通信情報」という。）を含む。これにより、ｅＮＢ２００においてＤ２Ｄ通信用期間及びセルラ通信用期間の設定パターンを適切に決定できる。
【００６４】
Ｄ２Ｄ通信情報は、例えば、ＵＥ１００が１つのＤ２Ｄ通信グループ内でＤ２Ｄ通信を行う通信相手ＵＥの数、及び／又は、ＵＥ１００が参加するＤ２Ｄ通信グループの数である。すなわち、Ｄ２Ｄ通信情報は、Ｄ２Ｄ通信で取り扱う潜在的なデータ量を推測可能な情報である。よって、ｅＮＢ２００は、Ｄ２Ｄ通信で取り扱う潜在的なデータ量に見合った時間長を有するＤ２Ｄ通信用期間を設定できる。
【００６５】
なお、ｅＮＢ２００は、Ｄ２Ｄ通信情報に加えて、セルラ通信に関する情報（以下、「セルラ通信情報」という。）も考慮して、Ｄ２Ｄ通信用期間及びセルラ通信用期間の設定パターンを決定してもよい。セルラ通信情報は、例えば、Ｄ２Ｄ通信を行うＵＥ１００が開始しようとするセルラ通信の通信種別、及び／又は、Ｄ２Ｄ通信を行うＵＥ１００が開始しようとするセルラ通信に使用される帯域（無線リソース）である。
【００６６】
（２）動作具体例
以下において、第１実施形態に係る動作具体例を説明する。図９は、第１実施形態に係る動作環境を説明するための図である。図９に示すように、コアネットワークであるＥＰＣ２０には、ｅＮＢ２００−１、ｅＮＢ２００−２、及びサーバ３００が接続されている。サーバ３００は、ＵＥ１００に対するサービスを提供するためのＷｅｂサーバ又はＦＴＰサーバなどである。ｅＮＢ２００−１のセルには、ＵＥ１００−１とのＤ２Ｄ通信を行うＵＥ１００−２が在圏している。ＵＥ１００−１は、ｅＮＢ２００−１のセルの外（例えば、圏外）である。ｅＮＢ２００−２のセルには、ＵＥ１００−３が在圏している。
【００６７】
以下の動作パターン１乃至３では、ＵＥ１００−１とＵＥ１００−２との間でＤ２Ｄ通信を行っている際に、ＵＥ１００−３がＵＥ１００−２に対する発信（通信接続）を行う。すなわち、ＵＥ１００−２は、Ｄ２Ｄ通信中にセルラ通信の着信を受ける。これに対し、以下の動作パターン４及び５では、ＵＥ１００−１とＵＥ１００−２との間でＤ２Ｄ通信を行っている際に、ＵＥ１００−２がサーバ３００に対する発信（アクセス）を行う。
【００６８】
（２．１）動作パターン１
図１０は、動作パターン１のシーケンス図である。動作パターン１では、Ｄ２Ｄ通信用期間及びセルラ通信用期間の設定パターンをｅＮＢ２００−１主導で決定するケースを想定する。また、動作パターン１では、ｅＮＢ２００−１がＵＥ１００−２に関するＤ２Ｄ通信情報を予め取得しているケースを想定する。
【００６９】
図１０に示すように、ステップＳ１０１において、ＵＥ１００−１とＵＥ１００−２との間でＤ２Ｄ通信が行われている。ステップＳ１０２において、ＵＥ１００−３は、ＵＥ１００−２に対する発信（通信要求）を行う。
【００７０】
ステップＳ１０３において、自セル内のＵＥ１００−２に対する通信要求を検知したｅＮＢ２００−１は、予め取得しているＤ２Ｄ通信情報に応じて、Ｄ２Ｄ通信用期間及びセルラ通信用期間の設定パターンを決定する。その際、ｅＮＢ２００−１は、セルラ通信情報を考慮してもよい。ステップＳ１０４において、ｅＮＢ２００−１は、セルラ通信用期間を利用して、セルラ通信の接続要求（ページング）をＵＥ１００−２に送信する。なお、ステップＳ１０４は、ステップＳ１０２とステップＳ１０３との間で行われてもよい。
【００７１】
ステップＳ１０５において、ｅＮＢ２００−１は、セルラ通信用期間を利用して、Ｄ２Ｄ通信用期間及びセルラ通信用期間の設定パターンをＵＥ１００−２に通知する。ステップＳ１０６において、ｅＮＢ２００−１から設定パターンの通知を受けたＵＥ１００−２は、当該設定パターンにおけるＤ２Ｄ通信用期間を示す情報をＵＥ１００−１に通知する。
【００７２】
ステップＳ１０７において、ＵＥ１００−２は、ｅＮＢ２００−１から通知された設定パターンに従い、Ｄ２Ｄ通信用期間及びセルラ通信用期間を設定する。ステップＳ１０８において、ＵＥ１００−１は、ＵＥ１００−２から通知されたＤ２Ｄ通信用期間を設定する。
【００７３】
ステップＳ１０９において、ＵＥ１００−２は、セルラ通信用期間を利用して、ｅＮＢ２００−１から受信した接続要求に対する応答（接続要求応答）をｅＮＢ２００−１に送信する。接続要求応答を受信したｅＮＢ２００−１は、通信要求応答をＵＥ１００−３に送信する。その結果、ＵＥ１００−２とＵＥ１００−３との間でセルラ通信の通信セッションが確立される（ステップＳ１１２）。一方、ＵＥ１００−１とＵＥ１００−２との間では、Ｄ２Ｄ通信が継続される（ステップＳ１１１）。
【００７４】
図１１は、Ｄ２Ｄ通信中にセルラ通信が開始された後におけるｅＮＢ２００−１のスケジューリング動作を示すフロー図である。
【００７５】
図１１に示すように、ステップＳ１２０１において、ｅＮＢ２００−１は、ＵＥ１００−２のセルラ通信用期間であるか否かを確認する。ＵＥ１００−２のセルラ通信用期間である場合（ステップＳ１２０１：Ｙｅｓ）、ステップＳ１２０２において、ｅＮＢ２００−１は、ＵＥ１００−２への未送信データ（バッファ蓄積）があるか否かを確認する。ＵＥ１００−２への未送信データがある場合（ステップＳ１２０２：Ｙｅｓ）、ステップＳ１２０３において、ｅＮＢ２００−１は、セルラ通信用期間に含まれる無線リソース（リソースブロック）をＵＥ１００−２に割り当てる。
【００７６】
（２．２）動作パターン２
図１２は、動作パターン２のシーケンス図である。動作パターン２では、Ｄ２Ｄ通信用期間及びセルラ通信用期間の設定パターンをｅＮＢ２００−１主導で決定するケースを想定する。また、動作パターン２では、ｅＮＢ２００−１がＵＥ１００−２に関するＤ２Ｄ通信情報を予め取得していないケースを想定する。ここでは、動作パターン２について、動作パターン１との相違点を主として説明する。
【００７７】
図１２に示すように、ステップＳ１２１において、自セル内のＵＥ１００−２に対する通信要求を検知したｅＮＢ２００−１は、セルラ通信用期間を利用して、セルラ通信の接続要求（ページング）をＵＥ１００−２に送信する。ステップＳ１２２において、ｅＮＢ２００−１は、セルラ通信用期間を利用して、Ｄ２Ｄ通信情報を要求するＤ２Ｄ通信情報取得要求をＵＥ１００−２に送信する。なお、ステップＳ１２２は、ステップＳ１２１と同時に行われてもよい。
【００７８】
ステップＳ１２３において、Ｄ２Ｄ通信情報取得要求を受信したＵＥ１００−２は、Ｄ２Ｄ通信情報をｅＮＢ２００−１に送信する。ステップＳ１０３において、Ｄ２Ｄ通信情報を受信したｅＮＢ２００−１は、Ｄ２Ｄ通信情報に応じて、Ｄ２Ｄ通信用期間及びセルラ通信用期間の設定パターンを決定する。その際、ｅＮＢ２００−１は、セルラ通信情報を考慮してもよい。以降の動作については、動作パターン１と同様である。
【００７９】
図１３は、通信要求を受信したｅＮＢ２００−１の動作を示すフロー図である。図１３は、図１２のステップＳ１２２、Ｓ１２３、及びＳ１０３と対応する。
【００８０】
図１３に示すように、ステップＳ１１０１において、ｅＮＢ２００−１は、セルラ通信用期間を利用して、Ｄ２Ｄ通信情報を要求するＤ２Ｄ通信情報取得要求をＵＥ１００−２に送信する。ステップＳ１１０２において、ｅＮＢ２００−１は、ＵＥ１００−２からＤ２Ｄ通信情報を取得する。ステップＳ１１０３において、ｅＮＢ２００−１は、Ｄ２Ｄ通信情報に応じて、Ｄ２Ｄ通信用期間及びセルラ通信用期間の設定パターンを決定し、ＵＥ１００−２に通知する。
【００８１】
（２．３）動作パターン３
図１４は、動作パターン３のシーケンス図である。動作パターン３では、Ｄ２Ｄ通信用期間及びセルラ通信用期間の設定パターンをＵＥ１００−２主導で決定するケースを想定する。ここでは、動作パターン３について、動作パターン１との相違点を主として説明する。
【００８２】
図１４に示すように、ステップＳ１３１において、自セル内のＵＥ１００−２に対する通信要求を検知したｅＮＢ２００−１は、セルラ通信用期間を利用して、セルラ通信の接続要求（ページング）をＵＥ１００−２に送信する。ステップＳ１３２において、ｅＮＢ２００−１は、セルラ通信用期間を利用して、セルラ通信情報をＵＥ１００−２に通知する。セルラ通信情報は、例えば、Ｄ２Ｄ通信を行うＵＥ１００が開始しようとするセルラ通信の通信種別、及び／又は、Ｄ２Ｄ通信を行うＵＥ１００が開始しようとするセルラ通信に予測される帯域（データレート）である。セルラ通信情報は、ＵＥ１００−２に対する通信要求に基づいて設定されてもよい。なお、ステップＳ１３２は、ステップＳ１３１と同時に行われてもよい。
【００８３】
ステップＳ１３３において、セルラ通信情報を受信したＵＥ１００−２は、セルラ通信情報及びＤ２Ｄ通信情報に応じて、Ｄ２Ｄ通信用期間及びセルラ通信用期間の設定パターンを決定する。ステップＳ１３４において、ＵＥ１００−２は、セルラ通信用期間を利用して、自身が希望する設定パターンをｅＮＢ２００−１に通知する。ステップＳ１３５において、ｅＮＢ２００−１は、ＵＥ１００−２が希望する設定パターンを許可するか否かを判定する。ここでは、ｅＮＢ２００−１が、ＵＥ１００−２が希望する設定パターンを許可すると判定したと仮定して、説明を進める。
【００８４】
ステップＳ１０５において、ｅＮＢ２００−１は、セルラ通信用期間を利用して、Ｄ２Ｄ通信用期間及びセルラ通信用期間の設定パターンをＵＥ１００−２に通知する。以降の動作については、動作パターン１と同様である。
【００８５】
（２．４）動作パターン４
図１５は、動作パターン４のシーケンス図である。動作パターン４では、Ｄ２Ｄ通信用期間及びセルラ通信用期間の設定パターンをｅＮＢ２００−１主導で決定するケースを想定する。
【００８６】
図１５に示すように、ステップＳ２０１において、ＵＥ１００−１とＵＥ１００−２との間でＤ２Ｄ通信が行われている。ステップＳ２０２において、ＵＥ１００−２は、発信を行うために、セルラ通信用期間を利用して通信要求をｅＮＢ２００−１に送信する。ステップＳ２０３において、ＵＥ１００−２は、Ｄ２Ｄ通信情報をｅＮＢ２００−１に送信する。なお、ステップＳ２０３は、ステップＳ２０２と同時に行われてもよい。
【００８７】
ステップＳ２０４において、Ｄ２Ｄ通信情報を受信したｅＮＢ２００−１は、Ｄ２Ｄ通信情報に応じて、Ｄ２Ｄ通信用期間及びセルラ通信用期間の設定パターンを決定する。その際、ｅＮＢ２００−１は、セルラ通信情報を考慮してもよい。ステップＳ２０５において、ｅＮＢ２００−１は、セルラ通信用期間を利用して、Ｄ２Ｄ通信用期間及びセルラ通信用期間の設定パターンをＵＥ１００−２に通知する。ステップＳ２０６において、ｅＮＢ２００−１から設定パターンの通知を受けたＵＥ１００−２は、当該設定パターンにおけるＤ２Ｄ通信用期間を示す情報をＵＥ１００−１に通知する。
【００８８】
ステップＳ２０７において、ＵＥ１００−２は、ｅＮＢ２００−１から通知された設定パターンに従い、Ｄ２Ｄ通信用期間及びセルラ通信用期間を設定する。ステップＳ２０８において、ＵＥ１００−１は、ＵＥ１００−２から通知されたＤ２Ｄ通信用期間を設定する。そして、ＵＥ１００−２とサーバ３００との間でセルラ通信の通信セッションが確立される（ステップＳ２１０）。一方、ＵＥ１００−１とＵＥ１００−２との間では、Ｄ２Ｄ通信が継続される（ステップＳ２０９）。
【００８９】
（２．５）動作パターン５
図１６は、動作パターン５のシーケンス図である。動作パターン５では、Ｄ２Ｄ通信用期間及びセルラ通信用期間の設定パターンをＵＥ１００−２主導で決定するケースを想定する。ここでは、動作パターン５について、動作パターン４との相違点を主として説明する。
【００９０】
図１６に示すように、ステップＳ２０２において、ＵＥ１００−２は、発信を行うために、セルラ通信用期間を利用して通信要求をｅＮＢ２００−１に送信する。ステップＳ２１１において、ＵＥ１００−２は、Ｄ２Ｄ通信情報に応じて、Ｄ２Ｄ通信用期間及びセルラ通信用期間の設定パターンを決定する。ステップＳ２１２において、ＵＥ１００−２は、セルラ通信用期間を利用して、自身が希望する設定パターンをｅＮＢ２００−１に通知する。ステップＳ２１３において、ｅＮＢ２００−１は、ＵＥ１００−２が希望する設定パターンを許可するか否かを判定する。ここでは、ｅＮＢ２００−１が、ＵＥ１００−２が希望する設定パターンを許可すると判定したと仮定して、説明を進める。
【００９１】
ステップＳ２０５において、ｅＮＢ２００−１は、セルラ通信用期間を利用して、Ｄ２Ｄ通信用期間及びセルラ通信用期間の設定パターンをＵＥ１００−２に通知する。以降の動作については、動作パターン４と同様である。
【００９２】
（２．６）Ｄ２Ｄ通信情報
ここでは、Ｄ２Ｄ通信情報の具体例、及びＤ２Ｄ通信情報に基づく設定パターン（Ｄ２Ｄ用通信期間及びセルラ通信用期間の割合）の具体例について説明する。
【００９３】
第１に、Ｄ２Ｄ通信情報は、Ｄ２Ｄ通信ＵＥ数（Ｎｕ）とすることができる。Ｄ２Ｄ通信情報に基づく設定パターンとしては、Ｄ２Ｄ通信用期間（Ｔｄ）及びセルラ通信用期間（Ｔｃ）を割り当てる場合、
Ｔｄ：Ｔｃ＝Ｎｕ：１
とすることができる。
【００９４】
第２に、Ｄ２Ｄ通信情報は、Ｄ２Ｄグループ数（Ｎｇ）とすることができる。Ｄ２Ｄ通信情報に基づく設定パターンとしては、Ｄ２Ｄ通信用期間（Ｔｄ）及びセルラ通信用期間（Ｔｃ）を割り当てる場合、
Ｔｄ：Ｔｃ＝Ｎｇ：１
とすることができる。
【００９５】
第３に、Ｄ２Ｄ通信情報は、Ｄ２Ｄグループ数（Ｎｇ）及びＤ２Ｄ通信スループット｛Ｗ［１］…Ｗ［Ｎｇ］｝とすることができる。Ｄ２Ｄ通信情報に基づく設定パターンとしては、Ｄ２Ｄ通信用期間（Ｔｄ）及びセルラ通信用期間（Ｔｃ）を割り当てる場合、
【００９６】
【数１】
2015019178.tif 000003
とすることができる。ここで「Ｗcell」はセルラ通信の（想定）スループットである。
【００９７】
第４に、Ｄ２Ｄ通信情報は、Ｄ２Ｄグループ数（Ｎｇ）及びＤ２Ｄ通信スループット｛Ｗ［１］…Ｗ［Ｎｇ］｝、及び無線帯域｛ｗ［１］…ｗ［Ｎｇ］｝とすることができる。Ｄ２Ｄ通信情報に基づく設定パターンとしては、Ｄ２Ｄ通信用期間（Ｔｄ）及びセルラ通信用期間（Ｔｃ）を割り当てる場合、
【００９８】
【数２】
2015019178.tif 000004
とすることができる。ここで「Ｗcell」はセルラ通信の（想定）スループット、「ｗcell」はセルラ通信の想定帯域である。
【００９９】
（第１実施形態のまとめ）
上述したように、ＵＥ１００は、Ｄ２Ｄ通信を行う場合に、複数のサブフレームの一部をセルラ通信用期間として確保しつつ、セルラ通信用期間以外のサブフレームをＤ２Ｄ通信用期間として使用する。また、ｅＮＢ２００は、ＵＥ１００がＤ２Ｄ通信を行う場合に、複数のサブフレームの一部をセルラ通信用期間として確保しつつ、セルラ通信用期間以外のサブフレームをＤ２Ｄ通信用期間としてＵＥ１００に使用させる。そして、ＵＥ１００は、Ｄ２Ｄ通信用期間及びセルラ通信用期間を使用することにより、Ｄ２Ｄ通信を開始してから終了するまでの間においてセルラ通信を行う。
【０１００】
従って、セルラ通信及びＤ２Ｄ通信で１つの無線送受信機１１０を共用するＵＥ１００であっても、Ｄ２Ｄ通信を開始してから終了するまでの間においてセルラ通信を行うことができる。特に、セルラ通信用期間として確保した一部のサブフレームをセルラ通信の着信又は発信用に使用できるため、Ｄ２Ｄ通信中にセルラ通信の着信又は発信が可能となる。
【０１０１】
ＵＥ１００は、Ｄ２Ｄ通信を開始してから終了するまでの間においてセルラ通信を開始する場合に、Ｄ２Ｄ通信用期間及びセルラ通信用期間の設定パターンを決定するための情報（Ｄ２Ｄ通信情報）をｅＮＢ２００に送信する。これにより、ｅＮＢ２００においてＤ２Ｄ通信用期間及びセルラ通信用期間の設定パターンを適切に決定できる。
【０１０２】
［第２実施形態］
次に、第２実施形態について、第１実施形態との相違点を主として説明する。第２実施形態は、システム構成及び動作環境については、第１実施形態と同様である。
【０１０３】
第１実施形態では、Ｄ２Ｄ通信用期間及びセルラ通信用期間を設定した後、設定パターンを更新することについて特に触れなかった。第２実施形態では、設定パターンを更新する動作について説明する。
【０１０４】
第２実施形態では、ＵＥ１００は、Ｄ２Ｄ通信用期間及びセルラ通信用期間を使用してＤ２Ｄ通信及びセルラ通信を行っており、かつ、Ｄ２Ｄ通信用期間及びセルラ通信用期間の設定パターンの更新が必要であると判定した場合に、設定パターンを更新するための情報をｅＮＢ２００に送信する。
【０１０５】
第２実施形態では、ＵＥ１００は、Ｄ２Ｄ通信及びセルラ通信のそれぞれのバッファ滞留量に基づいて、設定パターンの更新が必要であるか否かを判定する。また、ＵＥ１００は、Ｄ２Ｄ通信用期間及びセルラ通信用期間のそれぞれの実使用状況に基づいて、設定パターンの更新が必要であるか否かを判定する。
【０１０６】
第２実施形態では、設定パターンを更新するための情報は、ＵＥ１００におけるＤ２Ｄ通信及びセルラ通信のそれぞれのバッファ滞留量を示す情報を含んでもよい。また、設定パターンを更新するための情報は、ＵＥ１００におけるＤ２Ｄ通信用期間及びセルラ通信用期間のそれぞれの実使用状況を示す情報を含んでもよい。
【０１０７】
図１７は、設定パターンの更新が必要であるか否かの判定の具体例１を示す図である。図１８は、設定パターンの更新が必要であるか否かの判定の具体例２を示す図である。
【０１０８】
図１７及び図１８に示すように、ＵＥ１００は、Ｄ２Ｄ通信用期間及びセルラ通信用期間のそれぞれの実使用状況（ここでは、未使用割合）と、Ｄ２Ｄ通信及びセルラ通信のそれぞれのバッファ滞留量（ここでは、バッファ滞留増加量）と、に基づいて、現在の設定パターンの更新が必要か否かを判定する。具体的には、ＵＥ１００は、Ｄ２Ｄ通信用期間及びセルラ通信用期間のバランスが悪くなっているか否かを判定する。
【０１０９】
図１７及び図１８において、未使用割合がゼロよりも大きいということは、余剰が生じていることを意味する。また、バッファ滞留増加量がゼロよりも大きいということは、不足が生じていることを意味する。よって、未使用割合とバッファ滞留増加量との組み合わせにより、Ｄ２Ｄ通信用期間及びセルラ通信用期間の設定パターン（バランス）に問題があるか否かを判定できる。なお、Ｄ２Ｄ通信のグループ毎にバランスを決定している場合は、Ｄ２Ｄ通信をグループ毎に分けた状態で判定を行ってもよい。
【０１１０】
図１９は、第２実施形態に係る動作シーケンス図である。ここでは、第１実施形態に係る動作パターン５によりＤ２Ｄ通信中にセルラ通信を開始した後において設定パターンを更新する動作を説明する。
【０１１１】
図１９に示すように、ステップＳ２０１乃至Ｓ２１０は、第１実施形態に係る動作パターン５と同様である。
【０１１２】
ステップＳ３０１において、ＵＥ１００−２は、図１７及び図１８に示した判定方法により、Ｄ２Ｄ通信用期間及びセルラ通信用期間のバランスに問題があるか否かを判定する。
【０１１３】
バランスに問題がある場合、ステップＳ３０２において、ＵＥ１００−２は、設定パターンを更新するためのバランス修正要求をｅＮＢ２００に送信する。バランス修正要求は、Ｄ２Ｄ通信及びセルラ通信のそれぞれのバッファ滞留量の情報を含んでもよい。また、バランス修正要求は、ＵＥ１００におけるＤ２Ｄ通信用期間及びセルラ通信用期間のそれぞれの実使用状況を示す情報を含んでもよい。
【０１１４】
ステップＳ３０３において、ｅＮＢ２００−１は、バランス修正要求に基づいて、Ｄ２Ｄ通信用期間及びセルラ通信用期間のバランスを修正するように、Ｄ２Ｄ通信用期間及びセルラ通信用期間の新たな設定パターンを決定する。
【０１１５】
ステップＳ３０４において、ｅＮＢ２００−１は、セルラ通信用期間を利用して、新たな設定パターンをＵＥ１００−２に通知する。ステップＳ３０５において、ｅＮＢ２００−１から新たな設定パターンの通知を受けたＵＥ１００−２は、当該設定パターンにおけるＤ２Ｄ通信用期間を示す情報をＵＥ１００−１に通知する。
【０１１６】
ステップＳ３０６において、ＵＥ１００−２は、ｅＮＢ２００−１から通知された設定パターンに従い、Ｄ２Ｄ通信用期間及びセルラ通信用期間を設定する。ステップＳ３０７において、ＵＥ１００−１は、ＵＥ１００−２から通知されたＤ２Ｄ通信用期間を設定する。そして、ＵＥ１００−２とＵＥ１００−３との間でセルラ通信の通信セッションが継続される（ステップＳ３０９）。一方、ＵＥ１００−１とＵＥ１００−２との間では、Ｄ２Ｄ通信が継続される（ステップＳ３０８）。
【０１１７】
［その他の実施形態］
上述した各実施形態では、本発明に係るネットワーク装置の具体例としてｅＮＢ２００を説明したが、本発明に係るネットワーク装置はｅＮＢ２００に限らず、ｅＮＢ２００の上位装置（ＭＭＥ３００又はＯＡＭなど）であってもよい。
【０１１８】
上述した各実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１１９】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…無線送受信機、２２０…ネットワークインターフェイス、２３０…メモリ、２４０…プロセッサ、３００…ＭＭＥ／Ｓ−ＧＷ
【図１】
2015019178.tif 000005
【図２】
2015019178.tif 000006
【図３】
2015019178.tif 000007
【図４】
2015019178.tif 000008
【図５】
2015019178.tif 000009
【図６】
2015019178.tif 000010
【図７】
2015019178.tif 000011
【図８】
2015019178.tif 000012
【図９】
2015019178.tif 000013
【図１０】
2015019178.tif 000014
【図１１】
2015019178.tif 000015
【図１２】
2015019178.tif 000016
【図１３】
2015019178.tif 000017
【図１４】
2015019178.tif 000018
【図１５】
2015019178.tif 000019
【図１６】
2015019178.tif 000020
【図１７】
2015019178.tif 000021
【図１８】
2015019178.tif 000022
【図１９】
2015019178.tif 000023